【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
メモリと、プロセッサとを含むアイテム管理サーバが１つのパッケージに含まれる複数のスロットのそれぞれに属する１以上のアイテムを収集するアイテム管理方法であって、
前記アイテム管理サーバが、第１ユーザ端末機から検出したイベントを受信する段階と、
前記イベントがアイテム獲得条件を満たすかを判定する段階と、
前記判定の結果、前記イベントがアイテム獲得条件を満たす場合に、前記イベントと対応する第１アイテムを決定する段階と、
前記第１ユーザの１以上の保有群に前記第１アイテムと対応するスロットを含める段階と、
前記第１ユーザと所定の関係で対応付けられた１以上の第２ユーザを抽出する段階と、
前記第２ユーザの１以上の保有群を取得し、前記第２ユーザの１以上の保有群を前記第１ユーザの共有群として設定し、前記第１ユーザの１以上の保有群、及び前記第１ユーザの共有群に応じて、前記第１ユーザの収集群を決定する段階とを含む、
アイテム管理方法。
【請求項２】
前記イベントは、前記第１ユーザ端末機の位置情報と、第１目標位置との距離差が所定距離以内である場合に生じ、前記イベントと対応するアイテムは、前記位置情報及び前記第１目標位置に応じて決定されることを特徴とする、
請求項１に記載のアイテム管理方法。
【請求項３】
前記イベントは、前記第１ユーザ端末機のディスプレイ部を介して表示された画面内でのユーザ入力によって生じ、前記イベントと対応するアイテムは、前記ユーザ入力によって取得される画像データによって決定されることを特徴とする、
請求項１に記載のアイテム管理方法。
【請求項４】
前記イベントは、前記第１ユーザ端末機を介したオンラインまたはオフラインでの購入行為によって生じ、前記イベントと対応するアイテムは、前記購入行為を介して購入された物品によって決定されることを特徴とする、
請求項１に記載のアイテム管理方法。
【請求項５】
前記第１ユーザの保有群によって増加した、前記１以上の第２ユーザの収集群に含まれたスロットの数を基に、前記第１ユーザの貢献度を決定する段階と、
前記第１ユーザの貢献度を基に、前記第１ユーザのランキングを決定する段階と、をさらに含むことを特徴とする、
請求項１乃至４のいずれか１項に記載のアイテム管理方法。
【請求項６】
前記第１ユーザが、１つのパッケージに含まれた複数のスロットと対応するアイテムをいずれも獲得した場合、前記第１ユーザ端末機にリワードを提供する段階をさらに含むことを特徴とする、
請求項１乃至５のいずれか１項に記載のアイテム管理方法。
【請求項７】
前記第１ユーザの収集群に含まれていない未保有群に係わる情報を共有するために、前記第１ユーザの未保有群に係わる情報を、前記１以上の第２ユーザの端末機に送信する段階をさらに含むことを特徴とする、
請求項１乃至６のいずれか１項に記載のアイテム管理方法。
【請求項８】
前記共有群を設定する段階は、
前記第１ユーザと第１関係にある第３ユーザの１以上の保有群を取得し、前記第３ユーザの１以上の保有群を、前記第１ユーザの共有群として設定し、
前記収集群を決定する段階は、
前記第１ユーザの１以上の保有群と、前記第３ユーザの１以上の保有群とに応じて、前記第１ユーザの収集群を決定することを特徴とする、
請求項１乃至７のいずれか１項に記載のアイテム管理方法。
【請求項９】
前記第１関係は、第１ユーザと第３ユーザとの親密度に応じて設定されることを特徴とする、
請求項８に記載のアイテム管理方法。
【請求項１０】
前記第１ユーザの貢献度、保有群、共有群及び収集群のうち、少なくとも２以上を基に前記第１ユーザのレベルを評価することを特徴とする、請求項５に記載のアイテム管理方法。
【請求項１１】
１つのパッケージに含まれる複数のスロットのそれぞれに属する複数のアイテムを収集するアイテム管理サーバであって、
第１ユーザ端末機から検出したイベントを受信するイベント受信部と、
前記イベントがアイテム獲得条件を満たすかを判定する条件判定部と、
前記判定の結果、前記イベントがアイテム獲得条件を満たす場合、前記イベントと対応する第１アイテムを決定するアイテム決定部と、
前記第１ユーザの１以上の保有群に、前記第１アイテムと対応するスロットを含め、前記第１ユーザと所定の関係で対応付けられた１以上の第２ユーザを抽出し、前記第２ユーザの１以上の保有群を取得し、前記第２ユーザの１以上の保有群を前記第１ユーザの共有群として設定し、前記第１ユーザの１以上の保有群、及び前記第１ユーザの共有群に応じて、前記第１ユーザの収集群を決定するアイテム管理部と、を含む、アイテム管理サーバ。
【請求項１２】
前記イベントは、前記第１ユーザ端末機の位置情報と、第１目標位置との距離差が所定距離以内である場合に生じ、前記イベントと対応するアイテムは、前記位置情報及び前記第１目標位置に応じて決定されることを特徴とする、
請求項１１に記載のアイテム管理サーバ。
【請求項１３】
前記イベントは、前記第１ユーザ端末機の出力部を介して表示された画面内でのユーザ入力によって生じ、前記イベントと対応するアイテムは、前記ユーザ入力によって取得された画像データによって決定されることを特徴とする、
請求項１１に記載のアイテム管理サーバ。
【請求項１４】
前記イベントは、前記第１ユーザ端末機を介したオンラインまたはオフラインでの購入行為によって生じ、前記イベントと対応するアイテムは、前記購入行為を介して購入した物品によって決定されることを特徴とする、
請求項１１に記載のアイテム管理サーバ。
【請求項１５】
前記第１ユーザの保有群によって増加した、前記１以上の第２ユーザの収集群に含まれたスロットの数を基に、前記第１ユーザの貢献度を決定し、前記第１ユーザの貢献度を基に、前記第１ユーザのランキングを決定するレベル算出部をさらに含むことを特徴とする、
請求項１１乃至１４のいずれか１項に記載のアイテム管理サーバ。
【請求項１６】
前記第１ユーザの収集群が、前記複数のスロットと対応する複数のアイテムをいずれも獲得する場合、前記第１ユーザ端末機にリワードを提供するリワード提供部をさらに含むことを特徴とする、
請求項１１乃至１５のいずれか１項に記載のアイテム管理サーバ。
【請求項１７】
前記アイテム管理部は、
前記第１ユーザの収集群に含まれていない未保有群に係わる情報を共有するために、前記第１ユーザの未保有群に係わる情報を、前記１以上の第２ユーザの端末機に送信することを特徴とする、
請求項１１乃至１６のいずれか１項に記載のアイテム管理サーバ。
【請求項１８】
前記アイテム管理部は、
前記第１ユーザと第１関係にある第３ユーザの１以上の保有群を獲得し、前記第３ユーザの１以上の保有群を前記第１ユーザの共有群として設定し、
前記第１ユーザの１以上の保有群と前記第３ユーザの１以上の保有群とに応じて、前記第１ユーザの収集群を決定することを特徴とする、
請求項１１乃至１７のいずれか１項に記載のアイテム管理サーバ。
【請求項１９】
前記第１関係は、第１ユーザと第３ユーザとの親密度に応じて設定されることを特徴とする、
請求項１８に記載のアイテム管理サーバ。
【請求項２０】
前記レベル算出部は、前記第１ユーザの貢献度、保有群、共有群及び収集群のうち、少なくとも２以上を基に前記第１ユーザのレベルを評価することを特徴とする、
請求項１５に記載のアイテム管理サーバ。
【請求項２１】
コンピュータを利用して、請求項１ないし１０のうちいずれか１項に記載の方法を実行させるために媒体に保存されたコンピュータプログラム。